(57)【要約】【課題】熱融着時における接着力の強弱を考慮したトナー付着を可能とする印刷システムを提供する。【解決手段】印刷データの内容を印刷させると共に熱融着をするために用いられるトナーを付着させる印刷の指示の生成を行う情報処理装置であって、トナーを用いた熱融着として、強く接着するためのページ条件と弱く接着するためのページ条件とを受け付ける強弱ページ条件受付手段と、印刷データに対する印刷指示を受け付ける印刷指示受付手段と、前記印刷指示受付手段により受け付けた印刷データに対して、前記強弱ページ条件受付手段により受け付けたページ条件に従って、強く接着するためのページには、互いに相対する用紙面の両面にトナーを付着させ、弱く接着するためのページには、互いに相対する用紙面の片面にトナーを付着させるための追加の印刷データを付加する印刷指示生成手段とを備える。【選択図】図６
2012234365.tif 000002
【特許請求の範囲】
【請求項１】
印刷データの内容を印刷させると共に熱融着をするために用いられるトナーを付着させる印刷の指示の生成を行う情報処理装置であって、
トナーを用いた熱融着として、強く接着するためのページ条件と弱く接着するためのページ条件とを受け付ける強弱ページ条件受付手段と、
印刷データに対する印刷指示を受け付ける印刷指示受付手段と、
前記印刷指示受付手段により受け付けた印刷データに対して、前記強弱ページ条件受付手段により受け付けたページ条件に従って、強く接着するためのページには、互いに相対する用紙面の両面にトナーを付着させ、弱く接着するためのページには、互いに相対する用紙面の片面にトナーを付着させるための追加の印刷データを付加する印刷指示生成手段と
を備えることを特徴とする情報処理装置。
【請求項２】
前記強弱ページ条件受付手段は、強く接着するためのページにトナーを付着させる領域条件と弱く接着するためのページにトナーを付着させる領域条件とを更に受け付け、
前記印刷指示生成手段は、前記受け付けた領域条件を用いて、互いに相対する用紙面の両面にトナーを付着させる付着領域と、互いに相対する用紙面の片面にトナーを付着させる付着領域とを特定して、当該特定した付着領域にトナーを付着させるための追加の印刷データを付加することを特徴とする請求項１に記載の情報処理装置。
【請求項３】
印刷データの内容を印刷させると共に熱融着をするために用いられるトナーを付着させる印刷の指示の生成を行う情報処理装置であって、
トナーを用いた熱融着として、強く接着するためのページ条件と弱く接着するためのページ条件とを受け付ける強弱ページ条件受付手段と、
印刷データに対する印刷指示を受け付ける印刷指示受付手段と、
前記印刷指示受付手段により受け付けた印刷データに対して、前記強弱ページ条件受付手段により受け付けたページ条件に従って、強く接着するためのページ同士には、弱く接着するためのページ同士よりも多い接着領域でトナーを付着させるための追加の印刷データを、弱く接着するためのページ同士には、強く接着するためのページ同士よりも少ない接着領域でトナーを付着させるための追加の印刷データを付加する印刷指示生成手段と
を備えることを特徴とする情報処理装置。
【請求項４】
前記強弱ページ条件受付手段は、部単位でトナーを付着させるページ条件を受け付け、
前記印刷指示生成手段は、前記受け付けた部単位に従って、各部にページには、互いに相対する用紙面の両面にトナーを付着させ、部と部の間のページには、互いに相対する用紙面の片面にトナーを付着させるための追加の印刷データを付加することを特徴とする請求項１乃至３のいずれか１項に記載の情報処理装置。
【請求項５】
印刷データの内容を印刷させると共に熱融着をするために用いられるトナーを付着させる印刷の指示の生成を行う情報処理装置において実行可能な情報処理方法であって、
トナーを用いた熱融着として、強く接着するためのページ条件と弱く接着するためのページ条件とを受け付ける強弱ページ条件受付ステップと、
印刷データに対する印刷指示を受け付ける印刷指示受付ステップと、
前記印刷指示受付ステップにより受け付けた印刷データに対して、前記強弱ページ条件受付ステップにより受け付けたページ条件に従って、強く接着するためのページには、互いに相対する用紙面の両面にトナーを付着させ、弱く接着するためのページには、互いに相対する用紙面の片面にトナーを付着させるための追加の印刷データを付加する印刷指示生成ステップと
を備えることを特徴とする情報処理方法。
【請求項６】
印刷データの内容を印刷させると共に熱融着をするために用いられるトナーを付着させる印刷の指示の生成を行う情報処理装置において実行可能なプログラムであって、
トナーを用いた熱融着として、強く接着するためのページ条件と弱く接着するためのページ条件とを受け付ける強弱ページ条件受付手段、
印刷データに対する印刷指示を受け付ける印刷指示受付手段、
前記印刷指示受付手段により受け付けた印刷データに対して、前記強弱ページ条件受付手段により受け付けたページ条件に従って、強く接着するためのページには、互いに相対する用紙面の両面にトナーを付着させ、弱く接着するためのページには、互いに相対する用紙面の片面にトナーを付着させるための追加の印刷データを付加する印刷指示生成手段
として前記情報処理装置を機能させることを特徴とするプログラム。
【発明の詳細な説明】
【技術分野】
【０００１】
トナーを用いた熱融着技術に関する。
【背景技術】
【０００２】
従来から用紙に付着したトナーに対して加熱加圧することにより複数の用紙を融着させる技術が知られている。
【０００３】
特許文献１には、ユーザが指定可能な項目を多くしつつ、通常状態では製本が分離せず、必要な場合にシートが製本から分離できるようにすることを可能とする技術が開示されている。
【先行技術文献】
【特許文献】
【０００４】
【特許文献１】特開２０１０−１１１０２５号公報
【発明の概要】
【発明が解決しようとする課題】
【０００５】
しかしながら特許文献１では、通常状態では製本が分離せず、必要な場合にシートが製本から分離できるようにすることはできるが、例えば、８ページからなる資料を印刷するような場合において、１〜４ページと５〜８ページを強く接着するためにトナーを付着し、４ページと５ページを簡単に分離できるようにトナーを付着するといったことができない。
【０００６】
つまり、特許文献１では、印刷するページによって熱融着時における接着力の強弱を設定することができない。
【０００７】
そこで、本発明は上記課題を解決するものであり、熱融着時における接着力の強弱を考慮したトナー付着を可能とする印刷システムを提供することを目的とする。
【課題を解決するための手段】
【０００８】
本発明は、印刷データの内容を印刷させると共に熱融着をするために用いられるトナーを付着させる印刷の指示の生成を行う情報処理装置であって、トナーを用いた熱融着として、強く接着するためのページ条件と弱く接着するためのページ条件とを受け付ける強弱ページ条件受付手段と、印刷データに対する印刷指示を受け付ける印刷指示受付手段と、前記印刷指示受付手段により受け付けた印刷データに対して、前記強弱ページ条件受付手段により受け付けたページ条件に従って、強く接着するためのページには、互いに相対する用紙面の両面にトナーを付着させ、弱く接着するためのページには、互いに相対する用紙面の片面にトナーを付着させるための追加の印刷データを付加する印刷指示生成手段と
を備えることを特徴とする。
【発明の効果】
【０００９】
本発明によれば、熱融着時における接着力の強弱を考慮したトナー付着が可能となる。
【図面の簡単な説明】
【００１０】
【図１】印刷システムのブロック図である。
【図２】クライアント端末１００の主要なハードウェア構成を示すブロック図である。
【図３】本発明の実施の形態における印刷設定画面の一例を示す図である。
【図４】本発明の実施の形態における印刷処理の流れを示すフローチャートである。
【図５】本発明の実施の形態における印刷データ生成処理の流れを示すフローチャートである。
【図６】強弱融着の一例である。（パターン１）
【図７】強弱融着の一例である。（パターン１）
【図８】強弱融着の一例である。（パターン２）
【図９】強弱融着の一例である。（パターン２）
【図１０】強弱融着の一例である。（パターン３）
【図１１】強弱融着の一例である。（パターン３）
【図１２】強弱融着の一例である。（パターン４）
【図１３】強弱融着の一例である。（パターン４）
【図１４】テキスト融着の一例である。（パターン１）
【図１５】テキスト融着の一例である。（パターン１）
【図１６】テキスト融着の一例である。（パターン２）
【図１７】テキスト融着の一例である。（パターン２）
【図１８】中とじ融着の一例である。
【図１９】中とじ融着の一例である。
【発明を実施するための形態】
【００１１】
以下、添付図面を参照して本発明の実施例について説明する。
【００１２】
図１は、印刷システムのブロック図である。
【００１３】
印刷システム（情報処理システム）は、クライアント端末（情報処理装置）１００とプリンタ（印刷装置）１１０とが通信回線１２０を介して通信可能に接続されている。通信回線は、ＬＡＮやインターネットなどである。なお、クライアント端末は、携帯端末（ＰＤＡや携帯電話などの電子機器）でもよい。
【００１４】
また、トナー熱融着機（熱圧着装置）１３０は、プリンタで印刷された用紙に付着しているトナーに対して熱と圧力を加えることにより用紙を融着させるための装置である。例えば、実用新案登録番号第３１６３６３８号公報に掲載されているトナー熱圧着装置のようなものである。
【００１５】
図２は、クライアント端末１００の主要なハードウェア構成を示すブロック図である。クライアント端末１００は、ＣＰＵ２１、ＲＡＭ２２、ＲＯＭ２３、通信アダプタ２４、ディスプレイアダプタ２５、キーボード２６、マウス２７、ＨＤＤ（ハードディスク装置）２８、ＤＶＤ−ＲＷ２９を有し、これらがシステムバス２０で接続されている。
【００１６】
ＣＰＵ２１は、ＲＡＭ２２やＲＯＭ２３に格納されているプログラムやデータを用いてコンピュータ全体の制御を行うと共に後述の各処理を実行する。
【００１７】
ＲＡＭ２２は、ＨＤＤ２８やＤＶＤ−ＲＷドライブ２９からロードされたプログラムやデータを一時的に記録するエリアを備えている。また、ＲＡＭ２２は、通信アダプタ２４を介して外部装置から受信したプログラムやデータ、ＣＰＵ２１が各種の処理を実行する際に用いるワークエリアも備えている。
【００１８】
ＲＯＭ２３は、ブートプログラムやＰＣ端末１００を構成する各ハードウェア装置についての設定データなどを格納する。
【００１９】
通信アダプタ２４は、クライアント端末１００を通信回線１２０に接続するためのインタフェース部として機能し、通信アダプタ２４を介してクライアント端末１００は、外部機器（例えば、プリンタ１１０）と通信回線１２０を介してデータ通信を行うことができる。通信アダプタ２４の種類は問わない。
【００２０】
ディスプレイアダプタ２５は、ＣＲＴや液晶ディスプレイなどに接続し、ＣＰＵ２１の処理結果（例えば、後述する印刷設定画面）を画像や文字などで表示することができる。
【００２１】
２６、２７はそれぞれキーボード、マウスで入力装置の典型例であり、ＣＰＵ２１に対して各種の指示を入力するためのユーザインターフェースとして機能する。なお、入力装置の種類はこれらに限定されない。
【００２２】
ＨＤＤ（ハードディスク装置、記憶部）２８は、ＯＳ（オペレーティングシステム）、文書作成プログラム、プリンタドライバ及び後述するテーブルデータを保存する。プリンタドライバは、一又は複数色のトナーにより用紙にトナー画像を形成すると共に、かつ前記一又は複数色のトナーの中から選択されたトナーにより接着用のトナー層を形成するプリンタ（印刷装置）１１０の情報を格納している。テーブルデータは、接着条件も記憶している。ここで、「接着条件」とは、接着用のトナーの色、紙種、前記接着用のトナーの塗布位置、塗布方向、塗布模様、及び、印刷枚数をパラメータとして複数枚のシートの接着を維持するための条件である。なお、本実施例では、パラメータは、穴開きの有無、穴の数及び穴の配置を更に含む。
【００２３】
ＤＶＤ−ＲＷドライブ２９で、ＣＤ−ＲＯＭ等に記録されたプログラムやデータを読み出して、ＲＡＭ２２やＨＤＤ２８に出力する。
【００２４】
クライアント端末１００は、これらインストールされたオペレーションシステムや各プログラムをＲＡＭ２２に読み出し、文書を作成した後、文書を印刷する場合は、プリンタドライバを介して通信回線１２０経由でプリンタ１１０に印刷情報（印刷データ）を送信する。
【００２５】
図３は、本発明の実施の形態における印刷設定画面の一例を示す図である。
【００２６】
印刷設定画面３には、従来からある印刷設定の他に、トナー付着の設定を行う領域３１が表示されている。
【００２７】
領域３１内には、強弱付着の設定を行う領域３１１、テキスト付着の設定を行う領域３１２、中とじ付着の設定を行う領域３１３が表示されている。
【００２８】
これから印刷処理を実行しようとするユーザは、領域３１内の任意の設定を行うことで、これから印刷しようとする印刷ファイル（文書ファイル、画像ファイル等どのようなファイルであってもよい。）の印刷データに、この印刷データとは別にプリンタにおいてトナーを付着させるための追加の印刷データを付加することができるようになる。
【００２９】
ここで、強弱付着の設定を行う領域３１１、テキスト付着の設定を行う領域３１２、中とじ付着の設定を行う領域３１３の設定が行われた場合、どのように印刷ファイルが印刷されるかを図６から図１９を用いて説明する。
【００３０】
まず、強弱付着の設定を行う領域３１１に設定された場合の印刷例を図６から１３を用いて説明する。
【００３１】
強弱付着の設定を行う領域３１１には、まず、ページ指定をするか部単位とするかを選択することができる。ページ指定をする場合は、何ページ目を弱付着とするかを設定する。一方、部単位を選択した場合、部と部のページが弱付着となる。なお、本実施の形態では、弱ページの指定を例としているが、強付着のページを設定するものであってもよい。また、強弱付着のページをより柔軟に指定できるようにしてもよい。
【００３２】
また、強付着の位置と逆付着の位置を指定することができる。例えば、強付着は上部に、弱付着は左側にといった設定が可能となる。
【００３３】
ここで、これらの組み合わせ例を４つのパターンで説明する。
【００３４】
パターン１（図６および図７）
図６は、８ページの文書ファイルを片面印刷する場合において、１ページ目から４ページ目を強付着とし、４ページ目と５ページ目を弱付着とし、５ページ目から８ページまでを強付着とする例である。
【００３５】
図７は、上記設定に従って印刷した場合における上から見た図である。この状態で、トナーが付着した領域に対してトナー熱融着機（熱圧着装置）を用いて熱と圧力を加えることにより用紙を融着させると、１ページ目から４ページ目まで、および５ページ目から８ページ目までは、両面にトナーが付着しているため接着力が強く、４ページ目と５ページ目は片面にトナーが付着しているだけであるため接着力が弱い。従って、４ページ目と５ページ目とは分離しやすくなる。そのため、まずは、１ページ目から８ページ目までをまとめて融着しておき、例えば、出先で１ページ目から４ページ目までをＡさんに、５ページ目から８ページ目までをＢさんに渡すといった使い方をすることができるという効果がある。
【００３６】
パターン２（図８および図９）
図８は、８ページの文書ファイルを片面印刷する場合において、１ページ目から４ページ目を強付着とし、４ページ目と５ページ目を弱付着とし、５ページ目から８ページまでを強付着とする第二の例である。図６との違いは、強付着させる領域と弱付着させる領域が異なるようになっている点である。
【００３７】
図９は、上記設定に従って印刷した場合における上から見た図である。同様にトナー熱融着機（熱圧着装置）を用いて熱と圧力を加えることにより用紙を融着させる。パターン１との違いは、強弱付着するという点では共通するが、それぞれの付着領域が異なる。これにより、弱融着しているページを間違えずに分離しやすくなるという効果がある。
【００３８】
パターン３（図１０および図１１）
図１０は、８ページの文書ファイルを片面印刷する場合において、１ページ目から４ページ目を強付着とし、４ページ目と５ページ目を弱付着とし、５ページ目から８ページまでを強付着とする第三の例である。図６および図８との違いは、弱付着するページにトナーが片面だけでなく両面に付着しているという点である。
【００３９】
図１１は、上記設定に従って印刷した場合における上から見た図である。同様にトナー熱融着機（熱圧着装置）を用いて熱と圧力を加えることにより用紙を融着させる。パターン１およびパターン２との違いは、両面にトナーは付着させているが、その付着領域が小さいため簡単に分離できるという点である。また、パターン２と同様に間違えずに分離しやすくなるという効果もある。
【００４０】
パターン４（図１２および図１３）
図１０は、４ページの文書ファイルを片面印刷で２部印刷する場合において、１部目の１ページ目から４ページ目を強付着とし、１部目と２部目の境界となるページを弱付着とし、２部目の１ページ目から４ページまでを強付着とする例である。
【００４１】
パターン１からパターン３までの違いは、部の境界ページを弱付着とするものであるため、ユーザは細かいページ指定をする必要がないという効果がある。
【００４２】
以上、強弱付着の設定を行う領域３１１に設定された場合の印刷例を図６から１３を用いて説明した。
【００４３】
次に、テキスト付着の設定を行う領域３１２に設定された場合の印刷例を図１４から１７を用いて説明する。
【００４４】
テキスト付着の設定を行う領域３１２には、まず、テキストを入力する欄がある。また、テキストを両面付着するかテキストに対して背景を付着するかの設定をすることができる。更に、テキストや背景の色を設定することができる。
【００４５】
ここで、これらの組み合わせ例を２つのパターンで説明する。
【００４６】
パターン１（図１４および図１５）
図１４は、２ページの文書ファイルを片面印刷する場合において、１ページ目の裏面に入力された文字を反転した文字（この例では、「あいう  かきく  たちつ」である。）を１４１へ印字し、２ページ目の表面に入力された文字を１４２へ印字している例である。
【００４７】
図１５は、図１４の２ページを印刷して、トナー熱融着機（熱圧着装置）を用いて熱と圧力を加えることにより用紙を融着させた後の図である。１５において、１ページ目の反転文字と２ページ目の文字とか重なって熱融着されることにより、視認可能なテキストとして表示される。これにより、単に印刷用紙を融着させるだけでなく、その内容等をテキストに記載することができるので様々な利用目的に利用できるという効果がある。
【００４８】
パターン２（図１６および図１７）
図１６は、２ページの文書ファイルを片面印刷する場合において、１ページ目の裏面に入力された文字を反転した文字（この例では、「あいう  かきく  たちつ」である。）を１４１へ印字し、２ページ目の表面に背景を１４２へ印字している例である。
【００４９】
図１７は、図１６の２ページを印刷して、トナー熱融着機（熱圧着装置）を用いて熱と圧力を加えることにより用紙を融着させた後の図である。１７において、１ページ目の反転文字と２ページ目の背景とが重なって熱融着されることにより、視認可能なテキストとして表示される。パターン１との違いは、単に文字を表示するだけでなく、背景を用いることでより視認性・デザイン性の高い融着を可能とする点である。そのため、文字や背景に対するカラー指定がより有効となる。なお、背景に文字が埋没してしまわないように、背景カラーで「自動」が選択された場合は、融着した際に文字を識別可能とする濃度のトナーを背景とする設定がなされるものとする。
【００５０】
以上、テキスト付着の設定を行う領域３１２に設定された場合の印刷例を図１４から１７を用いて説明した。
【００５１】
最後に、中とじ付着の設定を行う領域３１３に設定された場合の印刷例を図１８から１９を用いて説明する。
【００５２】
中とじ付着の設定を行う領域３１３には、中とじ付着を両面付着するか片面付着する課の設定をすることができる。なお、中とじ付着は、通常の印刷設定において、１ページあたりのページ数が２ページ以上の場合に、設定可能となるものとする。１ページあたりのページ数が１ページの場合、中とじ製本をする意味がないからである。
【００５３】
図１８は、１６ページの文書ファイルを２ＵＰで両面印刷する場合において、両面にトナー付着する例である。図１８に示す通り、折り曲げられる用紙の線分に沿ってトナーが付着される。
【００５４】
図１９は、図１８の１６ページを印刷して、用紙の真ん中で折り曲げた例を示す図である。ユーザは、中とじ製本をするために、トナー熱融着機（熱圧着装置）を用いて、折り目に対して熱と圧力を加えることにより用紙を融着させる。これにより、中とじ製本を実現することができるようになる。
【００５５】
以上、中とじ付着の設定を行う領域３１３に設定された場合の印刷例を図１８から１９を用いて説明した。
【００５６】
次に、図４および図５を用いて、上記図６から図１９までの実施の形態を実現可能とする処理の流れを説明する。
【００５７】
図４は、本発明の実施の形態における印刷処理の流れを示すフローチャートである。
【００５８】
まず、ユーザは、クライアント端末を操作して印刷したいファイルを選択する。
【００５９】
Ｓ４０１において、クライアント端末は、ユーザにより選択された印刷ファイルを表示する。
【００６０】
Ｓ４０２において、クライアント端末は、印刷設定画面が選択されたかを判定する。Ｙｅｓの場合は、Ｓ４０３へ進み、Ｎｏの場合は、Ｓ４０１へ戻る。例えば、アプリケーション画面から「印刷」アイコン等が選択されたかを判定する。「印刷」アイコンが選択された場合、
Ｓ４０３において、クライアント端末は、印刷設定画面を表示する。図３に示すような印刷設定画面が表示される。なお、本実施の形態では、アプリケーション画面から「印刷」アイコン等が選択された場合におけるプリンタドライバの画面例を用いて説明しているが、この印刷設定画面は、例えばアプリケーションにアドインされているプログラムが選択された場合に表示されるものであってもよい。
【００６１】
Ｓ４０４において、クライアント端末は、印刷設定を受け付ける。具体的には、図３に示す印刷設定画面を介して各種の印刷設定を受け付けることとなる。
【００６２】
Ｓ４０５において、クライアント端末は、ＯＫボタンが押下されたかを判定する。Ｙｅｓの場合、Ｓ４０６へ進み、Ｎｏの場合、Ｓ４０４へ戻る。具体的には、図３に示すＯＫボタン３２が押下されたかを判定する。ＯＫボタン３２が押下されることにより印刷指示がなされたこととなる。ここで、Ｓ４０５の印刷データ生成処理の詳細を、図５を用いて説明する。
【００６３】
図５は、本発明の実施の形態における印刷データ生成処理の流れを示すフローチャートである。
【００６４】
Ｓ５０１において、クライアント端末は、トナー付着設定があるかを判定する。Ｙｅｓの場合、Ｓ５０２へ進み、Ｎｏの場合、終了する。具体的には、図３のトナー付着３１の領域において何らかの設定がなされているかにより判定を行う。
【００６５】
Ｓ５０２において、クライアント端末は、強弱付着設定があるかを判定する。Ｙｅｓの場合、Ｓ５０３へ進み、Ｎｏの場合、Ｓ５０７へ進む。具体的には、図３の強弱設定３１１の領域において何らかの設定がなされているかにより判定を行う。
【００６６】
Ｓ５０３において、クライアント端末は、強弱付着ページの特定を行う。具体的には、指定されたページや、部指定がされた場合に、どのページからどのページを強付着とし、どのページからどのページを弱付着するかを特定する。
【００６７】
Ｓ５０４において、クライアント端末は、位置指定があるかを判定する。Ｙｅｓの場合、Ｓ５０５へ進み、Ｎｏの場合、Ｓ５０６へ進む。具体的には、図３の強弱設定３１１の領域において強付着位置や弱付着位置の指定がなされているかを判定する。
【００６８】
Ｓ５０５において、クライアント端末は、指定された強付着位置の領域や弱付着位置の領域を特定する。
【００６９】
Ｓ５０６において、クライアント端末は、印刷データに、追加の印刷データとしてＳ５０３やＳ５０５において特定したページや領域を付加した印刷データを生成する。
【００７０】
次に、Ｓ５０７において、クライアント端末は、テキスト付着設定があるかを判定する。Ｙｅｓの場合、Ｓ５０８へ進み、Ｎｏの場合、Ｓ５１２へ進む。具体的には、図３のテキスト設定３１２の領域において何らかの設定がなされているかにより判定を行う。
【００７１】
Ｓ５０８において、クライアント端末は、テキスト位置の特定を行う。具体的にはどの位置にテキストを印字するかの特定を行う。
【００７２】
Ｓ５０９において、クライアント端末は、背景付着設定があるかを判定する。Ｙｅｓの場合、Ｓ５１０へ進み、Ｎｏの場合、Ｓ５１１へ進む。具体的には、図３のテキスト設定３１２の領域において背景付着の指定がなされているかを判定する。
【００７３】
Ｓ５１０において、クライアント端末は、背景位置の特定を行う。具体的にはどの位置に背景を印字するかの特定を行う。
【００７４】
Ｓ５１１において、クライアント端末は、印刷データに、追加の印刷データとして用紙の裏面にはＳ５０８において特定された領域に反転文字を印字する印字データを、また、背景を付着しない場合は、用紙の表面にはＳ５０８において特定された領域に文字を印字する印字データを、一方、背景を付着する場合には、用紙の表面にはＳ５１０において特定された領域に背景を印字する印字データを付加した印刷データを生成する。
【００７５】
次に、Ｓ５１２において、クライアント端末は、中とじ付着設定があるかを判定する。Ｙｅｓの場合、Ｓ５１３へ進み、Ｎｏの場合、終了する。具体的には、図３の中とじ設定３１３の領域において何らかの設定がなされているかにより判定を行う。
【００７６】
Ｓ５１３において、クライアント端末は、中とじ製本を可能とするために折り曲げられる用紙の表面の位置（領域）を特定する。
【００７７】
Ｓ５１４において、クライアント端末は、両面付着の設定があるかを判定する。Ｙｅｓの場合、Ｓ５１５へ進み、Ｎｏの場合、Ｓ５１６へ進む。具体的には、図３の中とじ設定３１３の領域において両面付着の指定がなされているかを判定する。
【００７８】
Ｓ５１５において、クライアント端末は、中とじ製本を可能とするために折り曲げられる用紙の裏面の位置（領域）を特定する。
【００７９】
Ｓ５１６において、クライアント端末は、印刷データに、追加の印刷データとしてＳ５１３やＳ５１５において特定された位置（領域）にトナーを付着する印刷データを付加した印刷データを生成する。
【００８０】
以上、図５を用いて、Ｓ４０５の印刷データ生成処理の詳細を説明した。
【００８１】
続いて、Ｓ４０７において、クライアント端末は、生成された印刷データをプリンタに送信して印刷指示を行う。
【００８２】
Ｓ４０８において、プリンタは、印刷データを受信する。
【００８３】
Ｓ４０９において、プリンタは、印刷データを用いて、印刷設定の内容を反映する処理を行う。
【００８４】
以上の処理を経て、熱融着をするためのトナーが付着された印刷用紙が出力されることとなる。
【００８５】
そして、ユーザは、印刷用紙をトナー熱融着機（熱圧着装置）を用いて熱と圧力を加えることにより用紙を融着させる。
【００８６】
上述した通り、本発明によれば、熱融着時における接着力の強弱を考慮したトナー付着が可能となる。
【００８７】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【００８８】
また、本発明におけるプログラムは、本発明に示すフローチャートの処理方法をコンピュータが実行可能なプログラムであり、本発明の記憶媒体はコンピュータが実行可能なプログラムが記憶されている。なお、本発明におけるプログラムは各装置の処理方法ごとのプログラムであってもよい。
【００８９】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００９０】
この場合、記録媒体から読み出されたプログラム自体が本発明の新規な機能を実現することになり、そのプログラムを記憶した記録媒体は本発明を構成することになる。
【００９１】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【００９２】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００９３】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００９４】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。  上記プログラムの形態は、オブジェクトコード、インタプリタにより実行されるプログラムコード、ＯＳ（オペレーティングシステム）に供給されるスクリプトデータ等の形態から成ってもよい。
【００９５】
さらに、本発明を達成するためのプログラムをネットワーク上のサーバ、データベース等から通信プログラムによりダウンロードして読み出すことによって、そのシステムあるいは装置が、本発明の効果を享受することが可能となる。
【００９６】
なお、上述した各実施形態およびその変形例を組み合わせた構成も全て本発明に含まれるものである。
【符号の説明】
【００９７】
１００  クライアント端末
１１０  プリンタ
１２０  通信回線
１３０  トナー熱融着機
【図１】
2012234365.tif 000003
【図２】
2012234365.tif 000004
【図３】
2012234365.tif 000005
【図４】
2012234365.tif 000006
【図５】
2012234365.tif 000007
【図６】
2012234365.tif 000008
【図７】
2012234365.tif 000009
【図８】
2012234365.tif 000010
【図９】
2012234365.tif 000011
【図１０】
2012234365.tif 000012
【図１１】
2012234365.tif 000013
【図１２】
2012234365.tif 000014
【図１３】
2012234365.tif 000015
【図１４】
2012234365.tif 000016
【図１５】
2012234365.tif 000017
【図１６】
2012234365.tif 000018
【図１７】
2012234365.tif 000019
【図１８】
2012234365.tif 000020
【図１９】
2012234365.tif 000021